(57)【要約】【課題】ストラップの映り込みを効果的に防止することを可能とする。【解決手段】ストラップ５００にストッパ部材５２０を設ける。ストッパ部材５２０は、ストラップ５００がカメラ３００の撮像エリアＡｐに侵入することを防ぐための部材であり、ストラップ５００の紐Ｒｏを挿通する挿通孔Ｈｏが設けらている。ストッパ部材５２０は、例えばシリコーン等によって形成されており、紐Ｒｏの一端Ｅａと他端Ｅｏとの間で摺動自在に移動可能となっている。ストッパ部材５２０は、カメラ付きの情報端末１０００の本体２００の側面Ｓｓに設けられた溝６００に、着脱自在に係止される。【選択図】図５
2019215444.tif 000002
【特許請求の範囲】
【請求項１】
ストラップを具備するカメラ付きの情報端末であって、
本体と、
前記本体に設けられた前記ストラップの取付部と、
前記ストラップの紐が挿通され、前記紐の一端と他端との間で移動可能なストッパ部材と、
前記本体に設けられ、前記ストッパ部材を係止可能な係止溝とを備え、
前記ストッパ部材を前記係止溝に係止させることで、前記ストラップはカメラの撮像エリア外に退避可能に構成される、カメラ付きの情報端末。
【請求項２】
前記取付部は、前記カメラの略直上に設けられており、
前記ストラップは、前記紐の一端が前記取付部に取り付けられ、前記他端を引っ張ることでブザー音を発する警報ストラップである、請求項１に記載のカメラ付きの情報端末。
【請求項３】
前記紐の他端には、フィンガーフックが設けられている、請求項２に記載のカメラ付きの情報端末。
【請求項４】
前記係止溝は、前記本体の側面に設けられ、外部接続端子を備えた接続部に設けられている、請求項１から３のいずれか一項に記載のカメラ付きの情報端末。
【請求項５】
前記ストッパ部材は、複数の係止片を備えており、前記係止片のそれぞれが前記係止溝に係止可能となっている、請求項１から４のいずれか一項に記載のカメラ付きの情報端末。
【発明の詳細な説明】
【技術分野】
【０００１】
本発明は、ストラップを具備するカメラ付きの情報端末に関する。
【背景技術】
【０００２】
スマートフォンや携帯電話などの情報端末においては、落下防止などを目的として様々なバリエーションのストラップが用意されている。
【０００３】
ストラップの取付位置は、携帯端末の本体の左右または上下の側面のいずれか一か所に固定されているのが通常である。このような情報端末において、実装されたカメラを利用して子供やペットなどを撮影すると、ストラップがカメラの撮像エリアに入り込み、子供やペットなどとともに、意図せぬストラップが撮影されてしまうことことがある（以下、このような現象を「ストラップの映り込み」という。）。
【０００４】
ストラップの映り込みを防止するために、カメラ位置よりも下方にストラップ取付部を設けるカメラ付き情報端末が提案されている（例えば特許文献１参照）。
【先行技術文献】
【特許文献】
【０００５】
【特許文献１】特開２００２−２５３３２８号公報
【発明の概要】
【発明が解決しようとする課題】
【０００６】
しかしながら、従来のカメラ付きの情報端末においては、撮影するときの情報端末の持ち方や、ストラップの長さ、さらには撮影するときの環境（強風や雨など）によっては、たとえカメラ位置よりも下方にストラップ取付部が設けられていたとしても、ストラップがカメラの撮像エリアに入り込んでしまう場合があり、ストラップの映り込みを効果的に防止することができない、という問題があった。
【０００７】
本発明は、以上説明した事情を鑑みてなされたものであり、ストラップの映り込みを効果的に防止することが可能なカメラ付き情報端末を提供することを目的とする。
【課題を解決するための手段】
【０００８】
本発明の一態様に係るカメラ付き情報端末は、本体と、本体に設けられたストラップの取付部と、ストラップの紐が挿通され、紐の一端と他端との間で移動可能なストッパ部材と、本体に設けられ、ストッパ部材を係止可能な係止溝とを備え、ストッパ部材を係止溝に係止させることで、ストラップはカメラの撮像エリア外に退避可能に構成されることを要旨とする。
【発明の効果】
【０００９】
本発明によれば、ストラップの映り込みを効果的に防止することが可能となる。
【図面の簡単な説明】
【００１０】
【図１Ａ】ストラップを具備するカメラ付きの情報端末の正面図である。
【図１Ｂ】ストラップを具備するカメラ付きの情報端末の背面図である。
【図２】ストラップの部分拡大図である。
【図３】ストッパ部材の部分拡大図である。
【図４】ストッパ部材と溝との係止状態を例示した図である。
【図５】ストッパ部材と溝との係止状態を例示した図である。
【発明を実施するための形態】
【００１１】
添付図面を参照して、本発明の好適な実施形態について説明する。なお、各図において、同一の符号を付したものは同一又は同様の構成を有する。
【００１２】
Ａ．本実施形態
図１は、本実施形態に係るストラップ５００を具備するカメラ付きの情報端末１０００の外観構成を示す図であり、図１Ａは、カメラ付きの情報端末１０００の正面図、図１Ｂは、カメラ付きの情報端末１０００の背面図である。
カメラ付きの情報端末１０００は、例えば子供向けの情報電話やスマートフォンであり、本体２００の背面Ｓｂの上部にはカメラ３００が設けられる一方、本体２００の上側面Ｓｕ（具体的には、カメラ３００の略直上）にはストラップ取付部４００が設けらている。ストラップ５００の一端Ｅａは、ストラップ取付部４００を介してカメラ付きの情報端末１０００に固定されている。ストラップ５００の他端Ｅｏには、フィンガーフック５１０が設けられている。本実施形態に係るストラップ５００は、ユーザの指をフィンガーフック５１０にひっかけて引っ張ることで、ブザー音を発する警報ストラップを想定するが、警報ストラップである必要はなく、紐Ｒｏを備えた様々なタイプのストラップに適用可能である。
【００１３】
図２は、本実施形態に係るストラップ５００の部分拡大図である。
ストラップ５００には、ストッパ部材５２０が設けられている。ストッパ部材５２０は、ストラップ５００がカメラ３００の撮像エリアＡｐ（図１Ｂ参照）に侵入することを防ぐための部材であり、ストラップ５００の紐Ｒｏを挿通する挿通孔Ｈｏが設けらている。ストッパ部材５２０は、例えばシリコーン等によって形成されており、紐Ｒｏの一端Ｅａと他端Ｅｏとの間で摺動自在に移動可能となっている。
【００１４】
図３は、ストッパ部材５２０の部分拡大図であり、図４及び図５は、ストッパ部材５２０と溝６００との係止状態を例示した図である。
図３及び図４に示すように、ストッパ部材５２０には、溝６００と係止可能な４つの係止片５２１が設けられている。ストッパ部材５２０は、カメラ付きの情報端末１０００の本体２００の側面Ｓｓに設けられた溝（係止溝）６００に、着脱自在に係止される。詳述すると、各係止片５２１は、それぞれ異なる方向に突設形成されており、係止片５２１のそれぞれが溝６００と係止可能となっている（図５参照）。なお、係止片５２１の形状や数などは、溝６００の位置や大きさ、形状などに応じて適宜設定変更可能である。
【００１５】
溝６００は、外部接続端子（図示略）を備えた接続部に設けられたものである。ストッパ部材５２０が係合されていない場合には、接続部の外部接続端子に、有線ケーブル等を介して外部機器を接続することで、各種データの授受が可能となる。なお、本実施形態では、ストッパ部材５２０を固定する係止溝として、接続部の溝６００を利用しているが、例えば、他の既存の溝を利用してもよい。もちろん、ストッパ部材５２０を固定する専用の係止溝をカメラ付きの情報端末１００の本体２００の任意箇所に設けてもよい。
【００１６】
このようなストッパ部材５２０を溝６００に係止させることで、ストラップ５００は、カメラ３００の撮像エリアＡｐから完全に退避される（図４参照）。ストッパ部材５２０は、フィンガーフック５１０が設けられた他端Ｅｏに近い位置で係止されるため、情報端末の持ち方等によらず、確実かつ効果的にストラップの映り込みを防止することが可能となる。
【００１７】
Ｂ．その他
本発明は、上述した本実施形態に限定されるものではなく、本発明の要旨を逸脱しない範囲内において、他の様々な形で実施することができる。例えば、カメラ付きの情報端末１０００は、子供向けの情報電話やスマートフォンに限定する趣旨ではなく、ストラップを備えたカメラ付きのノートＰＣ、タブレット端末、ウェアラブル端末、撮像端末など、様々な情報端末に適用可能である。
【符号の説明】
【００１８】
１０００…カメラ付きの情報端末、２００…本体、３００…カメラ、４００…ストラップ取付部、５００…ストラップ、５１０…フィンガーフック、５２０…ストッパ部材、５２１…係止片、６００…溝、Ｓｕ…上側面、Ｅａ…一端、Ｅｏ…他端、Ｒｏ…紐、Ｈｏ…挿通孔、Ｓｓ…側面、Ａｐ…撮像エリア。
【図１Ａ】
2019215444.tif 000003
【図１Ｂ】
2019215444.tif 000004
【図２】
2019215444.tif 000005
【図３】
2019215444.tif 000006
【図４】
2019215444.tif 000007
【図５】
2019215444.tif 000008